(57)【特許請求の範囲】
【請求項１】
商用電源と、加熱コイルとスイッチング手段を含み、直流を高周波交流に変換し、前記加熱コイルに高周波電流を供給するインバータ回路と、前記インバータ回路の動作を制御する制御回路とを備え、前記制御回路は、前記インバータ回路の入力電流を検知し半波整流した信号を出力段の抵抗に出力する入力電流検知手段と、商用電源の零点を検知する零点検知手段と、前記スイッチング手段の導通時間を変化させることにより前記入力電流を制御する入力電流制御手段とを備え、前記入力電流制御手段は、前記零点検知手段が検知した零点の１周期毎に前記零点から所定時間後に読み込んだ前記入力電流検知手段の出力の前記零点周期２周期分を比較し大きい方の前記零点周期における前記入力電流検知手段の出力を現在の入力電流値に対する出力と判断するか、または前記入力電流検知手段の出力電圧が所定の値より大きくなる正期間側の前記零点周期における前記入力電流検知手段の出力を現在の入力電流値に対する出力と判断して設定した火力に対応した前記入力電流に達するまで前記商用電源の１周期毎に前記導通時間を増減させて前記入力電流を制御する誘導加熱調理器。
【請求項２】
制御回路が、商用電源の周波数を検知する周波数検知手段を有し、入力電流制御手段が周波数特性を有する部品で構成されると共に入力電流補正手段を有し、前記周波数検知手段の出力に応じて、前記入力電流補正手段が入力電流検知手段の出力を、前記周波数特性を有する部品の周波数による出力ばらつきが低減されるように補正してなる請求項１記載の誘導加熱調理器。
【請求項３】
制御回路が、商用電源の電圧を検知する電源電圧検知手段を有し、入力電流制御手段が入力電流補正手段を有し、前記電源電圧検知手段の出力と前記入力電流検知手段の出力の積が一定となるように、前記入力電流補正手段が入力電流検知手段の出力を補正してなる請求項１または２記載の誘導加熱調理器。
【請求項４】
制御回路が、商用電源の零点を検知する零点検知手段を有し、隣り合う零点の概中間で、入力電流検知手段がインバータ回路の入力電流を検知してなる請求項１〜３のいずれか１項に記載の誘導加熱調理器。
【請求項５】
零点検知手段は、商用電源を半波整流した電圧を所定の電圧と比較することによって前記商用電源の零点を立ち上がりエッジ出力及び立ち下りエッジ出力で検知し、前記零点検知手段の検出する零点が、前記立ち上がりエッジに対して、真の零点よりもｔ１秒だけ遅れ、前記立ち下がりエッジに対しては真の零点よりも前記ｔ１秒だけ進んでいることを予め記憶すると共に、前記零点検知手段が、前記立ち上がりエッジの検出から前記ｔ１秒進んだ時点と、前記立ち下りエッジの検出から前記ｔ１秒遅れた時点の双方を真の零点とするように前記立ち上がりエッジ出力と真の零点とのタイミング差と、前記立ち下りエッジ出力と真の零点とのタイミング差の双方を補正する零点補正手段を有してなる請求項４記載の誘導加熱調理器。
【請求項６】
制御回路が、インバータ回路に流れる電流を検知する電流検知手段または前記インバータ回路に発生する電圧を検知する電圧検知手段のいずれか一方、もしくは両方を有し、入力電流制御手段は、前記零点検知手段が検知した零点の１周期毎に前記零点から所定時間後に読み込んだ前記電流検知手段または前記電圧検知手段の出力に応じて前記インバータ回路に流れる電流または電圧が前記インバータの構成部品に必要以上に電気・熱ストレスを与えないレベルになるまで前記インバータ回路の入力電流を零点周期毎に前記導通時間を変化させて制御してなる請求項４または５記載の誘導加熱調理器。
【請求項７】
制御回路が報知手段を有し、時系列で隣り合う零点周期２周期の値の差が所定値以下であるならば、入力電流制御手段が、異常と判断してインバータ回路の動作を停止し、かつ前記報知手段により報知してなる請求項６記載の誘導加熱調理器。
【発明の詳細な説明】
【０００１】
【発明の属する技術分野】
本発明は、誘導加熱調理器に関するものである。
【０００２】
【従来の技術】
近年、誘導加熱調理器はその加熱応答性の良さを生かして、負荷となる鍋等の近傍に温度検出素子等を載置し、鍋等の温度を検出し、それに応じて火力の調節を行うことで、きめ細かな調理を実現すると共に、炎を用いず、熱効率が高いことから、室内の空気を汚すことも少ないので安全かつ清潔であるという特性が注目され、その需要が急速に伸びてきている。
【０００３】
また、誘導加熱調理器は、スイッチング素子等から成るインバータ回路を用いているので、一般的にスイッチング素子の導通期間を変化させることにより、任意の火力を得ることができ、火力の制御性が極めて良好である。それ故、従来の誘導加熱調理器では、カレントトランス等を用いて、インバータ回路への入力電流を検知し、その入力電流値が所望の入力電流になるようにスイッチング素子の導通時間を増減して負荷への火力を制御している。
【０００４】
以下に従来の誘導加熱調理器の動作について図面に基づいて説明する。図３は従来例の構成を示すブロック図、図４は本従来例の入力電流検知手段と零点検知手段の動作波形図である。
【０００５】
図３において、２１は商用電源、２２は整流回路、２３はスイッチング手段２３ａと加熱コイル２３ｂを含み、加熱コイル２３ｂに高周波電流を印加することにより負荷鍋２４を誘導加熱するインバータ回路、制御回路２５は、スイッチング手段２３ａの導通時間を制御する入力電流制御手段２６と、インバータ回路２３への入力電流を検知する入力電流検知手段２７と、商用電源２１の零点を検知する零点検知手段２８とを有している。
【０００６】
上記構成において動作を説明する。インバータ回路２３は商用電源２１を整流回路２２で整流した直流を高周波交流に変換し、加熱コイル２３ａに高周波電流を流すことで、負荷鍋２４に渦電流を発生させて、そのジュール熱で負荷鍋２４を誘導加熱している。入力電流制御手段２６は、入力電流検知手段２７で検知した値が所望の火力に対応する入力電流値になる様に、インバータ回路２３のスイッチング手段２３ｂの導通時間を変化させて、入力電流を制御している。
【０００７】
また、零点検出手段２８が検出した商用電源２１の零点を基準に、次の零点の検出までを１周期として、零点を検知してからT2秒後のタイミングで入力電流制御手段２６が入力電流検知手段２７の出力値を読み取り、この値に基づいて零点周期毎に入力電流を制御する。
【０００８】
【発明が解決しようとする課題】
しかしながら、以上のような従来の誘導加熱調理器では、検出される零点のタイミングはエッジを検出しているので図４に示すようになり、商用電源１周期内の零点検出の２周期においては、High期間とLow期間の期間長に差が生じるので、真の零点と検知した零点とに差が生じる。それ故、零点を検知してから一定時間T2秒後に入力電流制御手段２６が、入力電流検知手段２７の検知した入力電流を読み取る構成にしてあるので、商用電源の１周期の中での２データであっても、検知される入力電流値に差が生じるので、入力電流制御手段２６が制御目標とする入力電流値が零点周期１周期毎に変化し、インバータ回路２３の入力電流が変動して、結果として入力電流精度が悪化するという不具合点を有していた。
【０００９】
また、入力電流検知手段２７は図３に示すような構成が一般的で、カレントトランスＣＴ２の出力を整流器ＤＢ２で全波整流した信号を、抵抗Ｒ２とコンデンサＣ２の並列接続で形成するピークホールド回路を介して入力電流制御手段２６に出力するものである。ピークホールド回路を使用しているのは、商用電源２１の１周期内で入力電流制御手段２６が入力電流値の読み込みタイミングずれによる、入力電流値の検知ばらつきを抑制するためであり、コンデンサＣ２は、容量が比較的大きく（０．１〜０．４７μＦ程度）、容量ばらつき小、温度特性良好なフィルムコンデンサを用いている。入力電流はボリューム抵抗ＶＲ２により所望の入力電流になるように微調整できる。しかし、この調整は製造工程で、日本国内製品等では、ある１つの電源周波数（６０Ｈｚあるいは５０Ｈｚ）で調整されるため、調整時の周波数でない他方の周波数で使用する際には、カレントトランスＣＴ２の周波数特性によって入力電流検知手段２７の検出値に差が生じて、制御目標の入力電流値がずれるという不具合点を有すると共に、全波整流器ＤＢ２や基準電位補償用ダイオードＤ２１、Ｄ２２等の部品点数及びコストが増加するという不具合点を有していた。裏を返せば、カレントトランスＣＴ２の周波数特性のため検出電流のばらつきが大きくなり、製造工程でのボリューム抵抗ＶＲ２の調整が必要になっている。更に本従来例では、製造工程で、商用電源電圧の定格値に対して、所望の加熱火力（入力電力）が得られる様に入力電流を調整しているので、商用電源電圧が変動しても、入力電流を一定に保つ様制御するので、商用電源電圧が定格よりずれた状態で使用すると、所望の入力電力が得られず調理性能が低下するという不具合点を有していた。
【００１０】
本発明は、上記課題を解決するもので、零点検知のズレや電源周波数の差等による入力電流の検知ばらつき及び制御している入力電流の変動と、電源電圧変動による入力電力のばらつきを低減して調理性能を向上すると共に、入力電流検知手段の構成部品を削減することでコスト及び工数削減、信頼性向上を図った誘導加熱調理器を提供することを目的とする。
【００１１】
【課題を解決するための手段】
上記課題を解決するために本発明は、入力電流検知手段によってインバータ回路の入力電流を検知し半波整流した信号を出力段の抵抗に出力し、零点検知手段が検知した零点の１周期毎に前記零点から所定時間後に読み込んだ入力電流検知手段の出力の前記零点周期２周期分を比較し大きい方の前記零点周期における前記入力電流検知手段の出力を現在の入力電流値に対する出力と判断するか、または前記入力電流検知手段の出力電圧が所定の値より大きくなる正期間側の前記零点周期における前記入力電流検知手段の出力を現在の入力電流値に対する出力と判断して設定した火力に対応した前記入力電流に達するまで商用電源の１周期毎に入力電流制御手段がスイッチング手段の導通期間を変化させて、インバータ回路の入力電流を制御することができる。また、入力電流制御手段は、インバータ回路の入力電流を入力電流検知手段の出力から読み込み、商用電源の１周期毎に入力電流を制御する構成としたことにより、入力電流検知手段の構成電子部品の点数を削減できる。
【００１２】
【発明の実施の形態】
請求項１に記載の発明は、商用電源と、加熱コイルとスイッチング手段を含み、直流を高周波交流に変換し、前記加熱コイルに高周波電流を供給するインバータ回路と、前記インバータ回路の動作を制御する制御回路とを備え、前記制御回路は、前記インバータ回路の入力電流を検知し半波整流した信号を出力段の抵抗に出力する入力電流検知手段と、商用電源の零点を検知する零点検知手段と、前記スイッチング手段の導通時間を変化させることにより前記入力電流を制御する入力電流制御手段とを備え、前記入力電流制御手段は、前記零点検知手段が検知した零点の１周期毎に前記零点から所定時間後に読み込んだ前記入力電流検知手段の出力の前記零点周期２周期分を比較し大きい方の前記零点周期における前記入力電流検知手段の出力を現在の入力電流値に対する出力と判断するか、または前記入力電流検知手段の出力電圧が所定の値より大きくなる正期間側の前記零点周期における前記入力電流検知手段の出力を現在の入力電流値に対する出力と判断して設定した火力に対応した入力電流に達するまで前記商用電源の１周期毎に前記導通時間を増減させて前記入力電流を制御する構成としたものであり、入力電流制御手段により、インバータ回路のスイッチング手段を駆動して、加熱コイルに高周波電流を供給し、加熱コイルから発生する磁束により鍋等の負荷を誘導加熱することができる。
【００１３】
入力電流検知手段が、インバータ回路への入力電流を検知し、読み込んだ入力電流検知手段の出力の零点周期２周期分を比較し大きい方の零点周期における入力電流検知手段の出力を現在の入力電流値に対する出力と判断するか、または入力電流検知手段の出力電圧が所定の値より大きくなる正期間側の零点周期における入力電流検知手段の出力を現在の入力電流値に対する出力と判断して設定した火力に対応した入力電流に達するまでスイッチング手段の導通期間を変化させるので、所望の火力が得られる様にインバータ回路の入力電流を制御することができる。更に、入力電流検知手段が入力電流を検知し半波整流した信号を出力段の抵抗に出力し、入力電流制御手段が零点検知手段の検知した零点の１周期毎に零点から所定時間後に入力電流検知手段の出力を読み込み、商用電源の１周期毎に導通時間を増減させて入力電流を制御する構成であるので、商用電源の１／２周期毎に制御する場合に比較して、入力電流検知手段を構成する電子部品の点数を削減し簡潔にできるという作用を有する。
【００１４】
請求項２に記載の発明は、請求項１記載の発明において、前記制御回路が、前記商用電源の周波数を検知する周波数検知手段を有し、前記入力電流制御手段が周波数特性を有する部品で構成されると共に入力電流補正手段を有し、前記周波数検知手段の出力に応じて、前記入力電流補正手段が前記入力電流検知手段の出力を、前記周波数特性を有する部品の周波数による出力ばらつきが低減されるように補正する構成としたものであり、周波数検知手段を有するので、商用電源の周波数を検知することができ、この検知した商用電源の周波数に応じて、入力電流補正手段が入力電流検知手段の出力を、周波数特性を有する部品の周波数による出力ばらつきを低減するように補正できる。故に、入力電流検知手段を構成する電子部品が周波数特性を有しており、これによって検知する入力電流値がばらついた場合でも、インバータ回路の入力電流を所望の入力電流に制御できるという作用を有する。
【００１５】
請求項３に記載の発明は、請求項１または２記載の発明において、前記制御回路が、前記商用電源の電圧を検知する電源電圧検知手段を有し、前記入力電流制御手段が入力電流補正手段を有し、前記電源電圧検知手段の出力と前記入力電流検知手段の出力の積が一定となるように、前記入力電流補正手段が前記入力電流検知手段の出力を補正する構成としたものであり、電源電圧検知手段を有するので、商用電源の電圧を検知することができ、この検知した商用電源の電圧に応じて、入力電流補正手段が入力電流検知手段の出力を補正できる。それ故、入力電流と電源電圧の積である入力電力を、電源電圧に影響されず、精度良く制御することができるという作用を有する。
【００１６】
請求項４に記載の発明は、請求項１〜３記載の発明において、前記制御回路が、前記商用電源の零点を検知する零点検知手段を有し、隣り合う零点の概中間で、前記入力電流検知手段が前記インバータ回路の入力電流を検知する構成としたものであり、零点検知手段を有しているので、商用電源の零点を検知することができると共に、隣り合う零点の間隔を検知できるので、この間隔の概中間のタイミングで入力電流検知手段がインバータ回路の入力電流を検知することが可能である。このため、インバータ回路の入力電流のほぼピーク値を検知できるので、入力電流検知手段の構成回路の定数設計が容易になると共に、商用電源周波数の差による入力電流の検知タイミングのずれに対するインバータ回路の入力電流のばらつきを低減することができるという作用を有する。
【００１７】
請求項５に記載の発明は、請求項４記載の発明において、前記零点検知手段は、前記商用電源を半波整流した電圧を所定の電圧と比較することによって前記商用電源の零点を立ち上がりエッジ出力及び立ち下りエッジ出力で検知し、前記零点検知手段の検出する零点が、前記立ち上がりエッジに対して、真の零点よりもｔ１秒だけ遅れ、前記立ち下がりエッジに対しては真の零点よりも前記ｔ１秒だけ進んでいることを予め記憶すると共に、前記零点検知手段が、前記立ち上がりエッジの検出から前記ｔ１秒進んだ時点と、前記立ち下りエッジの検出から前記ｔ１秒遅れた時点の双方を真の零点とするように前記立ち上がりエッジ出力と真の零点とのタイミング差と、前記立ち下りエッジ出力と真の零点とのタイミング差の双方を補正する零点補正手段を有する構成としたものであり、零点補正手段を有しているので、零点検知手段が商用電源の半波整流にて商用電源の零点を検知することによって生ずる、真の零点とのずれを補正することができるので、入力電流検知手段がインバータ回路の入力電流を検知するタイミングのばらつきを抑制可能で、検知電流値のばらつきを低減できるという作用を有する。
【００１８】
請求項６に記載の発明は、請求項４または５記載の発明において、前記制御回路が、前記インバータ回路に流れる電流を検知する電流検知手段または前記インバータ回路に発生する電圧を検知する電圧検知手段のいずれか一方、もしくは両方を有し、前記入力電流制御手段前記零点検知手段が検知した零点の１周期毎に前記零点から所定時間後に読み込んだ前記電流検知手段または前記電圧検知手段の出力に応じて前記インバータ回路に流れる電流または電圧が前記インバータの構成部品に必要以上に電気・熱ストレスを与えないレベルになるまで前記インバータ回路の入力電流を前記零点周期毎に前記導通時間を変化させて制御を行う構成としたものであり、電流検知手段または電圧検知手段を有しているので、インバータ回路の動作状態をモニタでき、電流検知手段または電圧検知手段の出力に応じて、インバータ回路を構成するスイッチング手段等が電気・熱ストレスを必要以上に受けない様に、零点周期毎に入力電流制御手段がインバータ回路の入力電流を制御することができる。
【００２０】
請求項７に記載の発明は、請求項６記載の発明において、前記制御回路が報知手段を有し、前記時系列で隣り合う零点周期２周期の値の差が所定値以下であるならば、前記入力電流制御手段が、異常と判断してインバータ回路の動作を停止し、かつ前記報知手段が報知を行う構成としたものであり、信頼性・使い勝手を向上することができる。
【００２１】
【実施例】
以下本発明の一実施例を図面に基づいて説明する。図１は本発明の第１の実施例の構成を示すブロック図、図２は本発明の第１の実施例の入力電流検知手段及び零点検知手段の動作波形図である。
【００２２】
図１において、１は商用電源、２は整流回路、３はスイッチング手段３ａと加熱コイル３ｂを含み、加熱コイル３ｂに高周波電流を印加することにより負荷の鍋４を誘導加熱するインバータ回路、制御回路５は、スイッチング手段３ａを駆動しその導通時間を変化させることによってインバータ回路３の入力電流を制御する入力電流制御手段６と、インバータ回路３への入力電流を検知する入力電流検知手段７と、商用電源１の零点を検知する零点検知手段８と、商用電源１の周波数を検知する周波数検知手段９と、商用電源１の電圧を検知する電源電圧検知手段１０と、加熱コイル３ｂに流れる高周波電流を検知する電流検知手段１１と、スイッチング手段３ａの両端電圧を検知する電圧検知手段１２と、入力電流制御手段６の出力に基づいてインバータ回路１３の動作状態を使用者に報知する発光素子あるいは圧電素子等で構成された報知手段１３と、インバータ回路３の動作開始を入力電流制御手段６に行わさせる信号を出力させると共に、負荷４の加熱火力を設定する、スイッチ等で構成された火力設定手段１４とを有している。また、入力電流制御手段６は入力電流補正手段６ａを備え、零点検知手段８は検知した商用電源１の零点と真の零点との差を補正する零点補正手段８ａを備えている。
【００２３】
上記構成において、以下その動作を説明する。使用者が火力設定手段１４にて入力電流制御手段６にスイッチング手段３ａの駆動を開始する信号を出力させると、入力電流制御手段６がインバータ回路３のスイッチング手段３ａをオンオフ駆動させ、商用電源１を整流回路２で整流した直流を高周波交流に変換し、加熱コイル３ｂに高周波電流を供給し、加熱コイル３ｂから発生する磁束により鍋等の負荷４の誘導加熱を開始する。
【００２４】
次に、入力電流制御手段６は入力電流検知手段７で検知した入力電流が、火力設定手段１４で設定した火力に対応した所望の入力電流に達するまでスイッチング手段３ａの導通時間を増減させ、加熱コイル３ｂに供給する高周波電流を変化して負荷４の加熱火力を制御している。
【００２５】
この時入力電流制御手段６は、零点検知手段８が検知した商用電源の零点から次に検知した零点を１周期として、この１零点周期毎に、検知した零点から所定時間後に、電流検知手段１１と電圧検知手段１２と入力電流検知手段７の出力を順次読み込んで、それらの値に基づいて、１零点周期毎にスイッチング手段３ａの導通期間を変化させることで、インバータ回路３の入力電流を制御している。
【００２６】
ここで、入力電流制御手段６が入力電流の制御を行うにあたって読み込んでくる電流検知手段１１と電圧検知手段１２と入力電流検知手段７の出力の中での優先順位の高さは、インバータ回路３の構成電子部品に必要以上の電気・熱ストレスを与えないために、電圧検知手段１２の出力、電流検知手段１１の出力、入力電流検知手段７の出力の順としている。つまり、火力設定手段１４で設定された火力を得るために、入力電流制御手段６は、インバータ回路３の構成電子部品に必要以上の電気・熱ストレスを与えない負荷４の場合は、設定火力となる様に入力電流を制御し、必要以上に電気・熱ストレスを与える負荷４の場合は、電流検知手段１１や電圧検知手段１２の出力に応じて、必要以上に電気・熱ストレスを与えないレベルになるまで、設定火力より小さい加熱火力になる様に入力電流を制御する。
【００２７】
本実施例では入力電流制御手段６は電流検知手段１１と電圧検知手段１２の出力に対しては１零点周期毎に制御を行う様にしてあるのに対し、入力電流検知手段７の出力に対しては、零点周期２周期分を比較し、大きい方の出力を現在の入力電流値に対する出力と判断し、これに基づいて制御を行う様にしてある。あるいは零点検知手段８の出力がHighである周期の入力電流検知手段７の出力が現在の入力電流値に対する出力と判断しても良い。但し前者の方が、カレントトランスＣＴに流れる電流や出力電圧の方向を考慮せずに設計できるので便利である。
【００２８】
このため、インバータ回路３の構成電子部品に必要以上の電気・熱ストレスを与えると言う様な重要度の高い要素については、１零点周期毎に入力電流を制御し、必要以上の電気・熱ストレスを与えない場合における入力電流の制御は、２零点周期毎に行うことができ、入力電流検知手段７の構成を簡単にできる。
【００２９】
また、本実施例では、零点補正手段８ａが、零点検知手段８の検出する零点の、立ち上がりエッジに対して、真の零点よりもt1秒だけ遅れ、立ち下がりエッジに対しては真の零点よりもt1秒だけ進んでいることを予め記憶しているので、零点検知手段８の立ち上がりエッジ出力を検知してから(T-t1)秒後に、立ち下がりエッジ出力を検知してからは(T+t1)秒後に、入力電流制御手段６は電流検知手段１１と電圧検知手段１２と入力電流検知手段７の各出力を読み込む。こうすることで、商用電源１の正期間と負期間での読み込みタイミングのズレを無くすことができるので、各値のほぼピーク値を読み込むことが可能となり、精度良く入力電流を制御できる。
【００３０】
また、本実施例では各値の読み込みは、各々４回ずつ行い、その平均値を検出値としているので、雑音の影響も低減でき、更に精度良く制御している。そして、従来であれば、この読み込みタイミングのズレの影響を低減するために、入力電流検知手段７の出力段は抵抗Ｒに比較的大きめの容量のコンデンサＣ（０．１〜０．４７μＦ程度）を並列接続して、ＲＣの時定数を大きくすることでピークホールド回路を形成すると共に、このコンデンサＣは容量のばらつきが小さく温度特性の良い、高価なフィルムコンデンサを使用していたが、本実施例では、コンデンサＣは雑音防止用程度の小容量（１０００〜１００００ｐＦ程度）で安価なセラミックコンデンサで良く、構成回路のコストダウンが可能である。
【００３１】
次に、本実施例では入力電流補正手段６ａが、上記と同様のタイミングで商用電源の電圧ピークを読み込んだ電源電圧検知手段１０の出力と入力電流検知手段７の出力との積が一定になる様に、読み込んだ入力電流検知手段７の出力値を補正するので、負荷４の加熱火力を商用電源１の電源電圧に関係なく一定に保つことができ、加熱火力のばらつきを抑制し、精度良く加熱火力を制御することができる。
【００３２】
また、本実施例では周波数検知手段９の検知した商用電源１の周波数に応じて、入力電流補正手段６ａが入力電流検知手段７の出力を補正して読み込むので、周波数特性を有するカレントトランスＣＴ等の周波数による出力ばらつきを低減でき、精度良く入力電流を制御することができる。
【００３３】
更に、本実施例では入力電流制御手段６が、商用電源１の１周期、つまり零点検知手段が検知した零点周期２周期に読み込んだ入力電流検知手段７の出力値を比較して、その差がv0以下であるならば、入力検知手段７が異常であると判断して、インバータ回路３の動作を停止すると共に、報知手段１３で異常であることを報知するので、信頼性・使い勝手を向上することができる。
【００３４】
以上のように本実施例によれば、入力電流検知手段７の構成電子回路点数を削減し、尚かつ入力電流の検知精度及び制御精度を向上すると共に、インバータ回路に過大な電気・熱ストレスを与えることなく、入力電流を制御することができる。
【００３５】
尚、本実施例ではインバータ回路３はスイッチング手段を１個含む構成としているが２個以上有する構成であっても、同様の効果が得られるのは言うまでもないことである。また、電圧検知手段１２が検知する電圧はスイッチング手段３ａの両端電圧に限らないし、電流検知手段１１が検知する電流は加熱コイル３ｂに流れる電流に限らない。
【００３６】
なお、本実施例では、入力電流の制御周期を商用電源の１周期にて説明しているが、本制御周期は１周期に限定せずとも、所望の入力電流の許容値が慣用的な範囲を逸脱しなければ、３〜６周期等、適宜設計変更することはやぶさかではない。具体的には、例えば、１０周期近い間隔で制御を行えば、フィードバックの応答の悪化により、極端な場合は接続ライン上の電源ブレーカの遮断等に至るケースが生じ得るが、かかる不具合を是正できる間隔であれば、商用電源の１周期に限るものではない。
【００３７】
【発明の効果】
以上の実施例から明らかなように、請求項１記載の発明によれば、入力電流検知手段がインバータ回路の入力電流を検知し半波整流した信号を出力段の抵抗に出力し、入力電流制御手段が、零点検知手段の検知する零点の１周期毎に前記零点から所定時間後に読み込んだ入力電流検知手段の出力の零点周期２周期分を比較し大きい方の零点周期における入力電流検知手段の出力を現在の入力電流値に対する出力と判断するか、または入力電流検知手段の出力電圧が所定の値より大きくなる正期間側の零点周期における入力電流検知手段の出力を現在の入力電流値に対する出力と判断して商用電源の１周期毎にスイッチング手段の導通期間を変化させて、設定火力になる様にインバータ回路の入力電流を制御することができるので、入力電流検知手段の構成を簡単にして、部品点数を削減することができる。
【００３８】
また、請求項２記載の発明によれば、入力電流検知手段を構成する電子部品が周波数特性を有し、検出する入力電流値が周波数によって変化するため、入力電流検知手段が検知した入力電流値を、周波数検知手段が検知した商用電源の周波数に応じて、入力電流補正手段が入力電流検知手段の出力を、周波数特性を有する部品の周波数による出力ばらつきが低減されるように補正することができるので、入力電流検知手段が検知する入力電流値が商用電源の周波数によって変動することを抑制し、入力電流制御手段が精度良く入力電流を制御できる。
【００３９】
また、請求項３記載の発明によれば、電源電圧検知手段の出力と入力電流検知手段の出力の積が一定となるように入力電流検知手段の出力を入力電流補正手段が補正することができるので、入力電流と商用電源の電圧の積である入力電力を一定に保つことが可能となり、入力電流制御手段が精度良く負荷への加熱火力を制御できる。
【００４０】
また、請求項４記載の発明によれば、１零点周期内での入力電流のピークとなるタイミング即ち隣り合う零点の概中間点で、これに対応する入力電流検知手段の出力を入力電流制御手段が読み込むことが可能となるので、入力電流検知手段の構成回路の定数設計が容易かつ構成部品のコスト低減になると共に、商用電源周波数の差による入力電流の検知タイミングのずれに対するインバータ回路の入力電流のばらつきを低減できる。
【００４１】
また、請求項５記載の発明によれば、零点検知手段は、商用電源を半波整流した電圧を所定の電圧と比較することによって商用電源の零点を立ち上がりエッジ出力及び立ち下りエッジ出力で検知し、零点検知手段の検出する零点が、立ち上がりエッジに対して、真の零点よりもｔ１秒だけ遅れ、立ち下がりエッジに対しては真の零点よりもｔ１秒だけ進んでいることを予め記憶すると共に、零点補正手段が、立ち上がりエッジの検出からｔ１秒進んだ時点と、立ち下りエッジの検出からｔ１秒遅れた時点の双方を真の零点とするように立ち上がりエッジ出力と真の零点とのタイミング差と、立ち下りエッジ出力と真の零点とのタイミング差の双方を補正するので、零点検知手段が商用電源の半波整流にて前記商用電源の零点を検知することによって生ずる、真の零点とのずれを補正することができ、入力電流制御手段が入力電流検知手段の出力を読み込むタイミングのばらつきを抑制可能で、精度の良い入力電流の制御ができる。
【００４２】
また、請求項６記載の発明によれば、インバータ回路に流れる電流またはインバータ回路に発生する電圧等に対しては、１零点周期毎に入力電流を制御できる。
【００４３】
また、請求項７記載の発明によれば、入力電流制御手段が読み込んだ入力電流検知手段の出力値において、時系列で隣り合う２つの値の差が所定値以下であるならば、入力電流制御手段が、異常と判断してインバータ回路の動作を停止すると共に、報知手段が報知を行うことが可能なので、より信頼性の高い誘導加熱調理器を提供できる。
【図面の簡単な説明】
【図１】本発明の一実施例の誘導加熱調理器の構成を示すブロック図
【図２】同誘導加熱調理器の各部動作波形図
【図３】従来の誘導加熱調理器の構成を示すブロック図
【図４】同誘導加熱調理器の各部動作波形図
【符号の説明】
１  商用電源
３  インバータ回路
３ａ  スイッチング手段
３ｂ  加熱コイル
５  制御回路
６  入力電流制御手段
６ａ  入力電流補正手段
７  入力電流検知手段
８  零点検知手段
８ａ  零点補正手段
９  周波数検知手段
１０  電源電圧検知手段
１１  電流検知手段
１２  電圧検知手段
１３  報知手段
【図１】
0004134370.tif 000002
【図２】
0004134370.tif 000003
【図３】
0004134370.tif 000004
【図４】
0004134370.tif 000005